(57)【要約】【課題】    瓦葺き工事において等間隔の目印を形成する作業（縦マーク形成作業、横マーク形成作業）を容易にする。【解決手段】瓦葺き工事において瓦同士の所定間隔を示し瓦葺き工事を支援するための粘着テープであって、長手方向に沿った帯状のテープ本体と、テープ本体の裏面に形成された粘着部と、該長手方向に沿って所定間隔毎にテープ本体の表面に複数形成された目視可能な目印を含んでなる目印群と、を備えてなる、瓦葺き工事支援用粘着テープである。【選択図】  図１
0003133697.tif 000002
【実用新案登録請求の範囲】
【請求項１】
瓦葺き工事において瓦同士の所定間隔を示し瓦葺き工事を支援するための粘着テープであって、
長手方向に沿った帯状のテープ本体と、
テープ本体の裏面に形成された粘着部と、
該長手方向に沿って所定間隔毎にテープ本体の表面に複数形成された目視可能な目印を含んでなる目印群と、
を備えてなる、瓦葺き工事支援用粘着テープ。
【請求項２】
前記目印群が、異なる前記所定間隔にて互いに視覚的に異ならせて形成された異なる目印群を含むものである、請求項１に記載の瓦葺き工事支援用粘着テープ。
【請求項３】
１の瓦葺き工事支援用粘着テープが、異なる種類の瓦それぞれの瓦葺き工事を支援可能にするため、前記異なる前記所定間隔が該異なる種類の瓦それぞれについての所定間隔に対応するものである、請求項２に記載の瓦葺き工事支援用粘着テープ。
【請求項４】
前記異なる種類の瓦が、和瓦のＪＩＳ（日本工業規格）の５３Ａ型及び５３Ｂ型を含むものである、請求項３に記載の瓦葺き工事支援用粘着テープ。
【請求項５】
１の瓦葺き工事支援用粘着テープが、瓦葺き工事において瓦同士の異なる縦方向間隔と横方向間隔との両間隔を示すことができるよう、前記異なる前記所定間隔が該縦方向間隔と該横方向間隔とに対応するものである、請求項２乃至４のいずれか１に記載の瓦葺き工事支援用粘着テープ。
【請求項６】
前記視覚的に異ならせて形成された異なる目印群が、互いに異なる色彩によって形成される部分を含むことで視覚的に異ならされたものである、請求項２乃至５のいずれか１に記載の瓦葺き工事支援用粘着テープ。
【考案の詳細な説明】
【技術分野】
【０００１】
本考案は、瓦葺き工事支援用粘着テープに関し、より詳細には、瓦葺き工事において瓦同士の所定間隔（瓦が葺かれる際、隣接する瓦同士の間隔）を示し瓦葺き工事を支援するための粘着テープに関する。
【背景技術】
【０００２】
和風建築の家屋等においては、屋根は複数の瓦を葺くことで形成されることが多かった。しかしながら、この複数の瓦を葺く工事、即ち、瓦葺き工事は、多種類の瓦や瓦を固定するための部材（例えば、釘、桟木、釘等）等を要し、屋根となる高所にて行われることが多く、さらに多くの作業を要することから、これまで難儀な作業として知られていた。
図５は、和風建築の家屋１０１の屋根１０３に瓦を葺く瓦葺き工事の第１工程を示す概略斜視図である。図５を参照して、瓦葺き工事の第１工程について説明する。第１工程では、屋根１０３の軒の下縁１０５（下縁１０５は、通常、水平で地面２０１に対して平行とされる。）を基準とし、下縁１０５に略垂直となるよう屋根１０３の両側縁１０７ａ、１０７ｂ近傍に縦基準線１０９ａ、１０９ｂ（いずれも直線に略沿うよう真っ直ぐな線）を描く。なお、縦基準線１０９ａ、１０９ｂは、後述のように、瓦を葺くときの縦（上下）方向の基準線となるものであり、ここでは軒の下縁１０５に対して略垂直になるよう描いたが必ずしもこれに限定されるものではなく、例えば、屋根１０３の上縁１０８（棟部分）に対して略垂直になるようにしたり、側縁１０７ａ、１０７ｂに対して略平行にしたり、また屋根１０３の形状とは関係なく描くようにしてもよい。
図６は、和風建築の家屋１０１の屋根１０３に瓦を葺く瓦葺き工事の第２工程を示す概略斜視図である。図６を参照して、瓦葺き工事の第２工程について説明する。第２工程では、縦基準線１０９ａ、１０９ｂに沿って等間隔（図６中、間隔Ｄにて示した。）にて横基準線１１１（いずれも直線に略沿うよう真っ直ぐな線）を描く。即ち、縦基準線１０９ａ及び縦基準線１０９ｂ各々に沿って等間隔（間隔Ｄ）にマークを書く等し、対応する縦基準線１０９ａ上のマークと、縦基準線１０９ｂ上のマークと、を結ぶように横基準線１１１を描く。なお、横基準線１１１のいずれも、縦基準線１０９ａ、１０９ｂ両方に対して略垂直であり、そして横基準線１１１同士の間隔（図６中、間隔Ｄ）は、屋根１０３に葺く瓦に応じて定められる（該瓦が葺かれる際の縦方向の間隔に応じて定められる。）。
【０００３】
図７は、和風建築の家屋１０１の屋根１０３に瓦を葺く瓦葺き工事の第３工程を示す概略斜視図である。図７を参照して、瓦葺き工事の第３工程について説明する。第３工程では、横基準線１１１各々に沿って桟木１２１（横木。具体的には、角棒材により構成される。）を釘（図示せず）等によって屋根１０３に取り付ける。
図８は、和風建築の家屋１０１の屋根１０３に瓦を葺く瓦葺き工事の第４工程を示す概略斜視図である。図８を参照して、瓦葺き工事の第４工程について説明する。第４工程では、軒の下縁１０５を略二等分しかつ軒の下縁１０５に対して略垂直な線（直線に略沿うよう真っ直ぐな線であり、下縁１０５の垂直二等分線の一部を略なす線である。）である中央基準線１３１を描く。中央基準線１３１は縦基準線１０９ａ、１０９ｂに対して略平行である。
図９は、和風建築の家屋１０１の屋根１０３に瓦を葺く瓦葺き工事の第５工程を示す概略斜視図である。図９を参照して、瓦葺き工事の第５工程について説明する。第５工程では、中央基準線１３１に略平行になるよう、等間隔（図９中、間隔ｄにて示した。）にて縦割線１４１（いずれも直線に略沿うよう真っ直ぐな線）を描く。例えば、桟木１２１のうち最も上に存する最上部桟木１２１ｔに中央基準線１３１から等間隔（図９中、間隔ｄ）にて両方向へマークを書く等し、同様に、桟木１２１のうち最も下に存する最下部桟木１２１ｂに中央基準線１３１から等間隔（図９中、間隔ｄ）にて両方向へマークを書く等する。そして、対応する最上部桟木１２１ｔ上のマークと、最下部桟木１２１ｂ上のマークと、を結ぶように縦割線１４１を描く。なお、縦割線１４１のいずれも、中央基準線１３１に対して略平行であり、そして縦割線１４１同士の間隔（図９中、間隔ｄ）は、屋根１０３に葺く瓦に応じて定められる（該瓦が葺かれる際の横方向の間隔に応じて定められる。）。
その後、第６工程として、横方向を縦割線１４１に合わせ、桟木１２１同士の間に個々の瓦（不図示）を配設し取り付けることで、家屋１０１の屋根１０３に瓦を葺く瓦葺き工事が完了する。
なお、図５〜図９中、上方向を矢印Ｋ１（鉛直上方向）にて、下方向を矢印Ｋ２（鉛直下方向）にて、それぞれ示す。また、横方向とは、瓦を葺く屋根１０３の面と水平面とが交わる交線に沿った方向をいう。
【０００４】
以上、図５〜図９にて説明した作業の中で、瓦葺き工事の第２工程（図６参照）に含まれる縦基準線１０９ａ及び縦基準線１０９ｂ各々に沿って等間隔（間隔Ｄ）にマークを形成する作業（以下、「縦マーク形成作業」という。）と、瓦葺き工事の第５工程（図９参照）に含まれる最上部桟木１２１ｔに等間隔（間隔ｄ）にマークを形成すると共に最下部桟木１２１ｂに等間隔（間隔ｄ）にマークを形成する作業（以下、「横マーク形成作業」という。）と、の両作業（縦マーク形成作業、横マーク形成作業）は、通常、メジャー（巻き尺等）とペン等とを用いて一つ一つのマークに関し、形成位置を確認し形成（書く）する必要があるものであり、瓦葺き工事に含まれる作業の中でも非常に面倒で難儀なものであった。
【０００５】
かかる難儀な瓦葺き工事を容易にする等のため、これまでいくつかの方法が提案されてきた（例えば、特許文献１、特許文献２、特許文献３参照）。
【０００６】
【特許文献１】特開２００２−４７７６１号公報（発明の詳細な説明の段落番号０００１〜０００７、第１図〜第３図等）
【特許文献２】特開２０００−２３４４１９号公報（要約、第１図〜第３図等）
【特許文献３】特開２０００−２３０２９８号公報（発明の詳細な説明の段落番号０００１〜０００７、第１図〜第６図等）
【考案の開示】
【考案が解決しようとする課題】
【０００７】
上記した特許文献１乃至３に開示された発明は、確かに、棟の構築やのし瓦の葺き作業等が容易になるよう改善するが、瓦葺き工事の大きな部分を占める図５〜図９にて説明した作業自体に係わるものではなかった。
特に、前述の面倒で難儀な縦マーク形成作業及び横マーク形成作業について、特許文献１乃至３に開示された発明は何ら改善するものではなく、縦マーク形成作業及び横マーク形成作業は依然として面倒かつ難儀なものであった。
【０００８】
そこで、本考案では、縦マーク形成作業及び／又は横マーク形成作業を容易にすることを目的とする。
【課題を解決するための手段】
【０００９】
本考案の瓦葺き工事支援用粘着テープ（以下、「本テープ」という。）は、瓦葺き工事において瓦同士の所定間隔を示し瓦葺き工事を支援するための粘着テープであって、長手方向に沿った帯状のテープ本体と、テープ本体の裏面に形成された粘着部と、該長手方向に沿って所定間隔毎にテープ本体の表面に複数形成された目視可能な目印を含んでなる目印群と、を備えてなる、瓦葺き工事支援用粘着テープである。
【００１０】
本テープは、テープ本体と粘着部と目印群とを備えてなる。
テープ本体は、長手方向に沿った帯状のものであり、通常、直線（長手方向）に沿った互いに略平行な一対の長辺を有する帯状のものである。テープ本体を形成する材質は、いかなるものであってもよく何ら限定されるものではないが、後述するように、テープ本体が長手方向にあまり大幅に伸び縮みするとテープ本体の表面に形成された目印同士の所定間隔が大きく変化してしまうのでテープ本体の長手方向への伸び縮みはあまり大きくないものであることが好ましく、さらに本テープの運搬や保管等を便ならしめることからはテープ本体が巻き取り可能及び／又は折り畳み可能なものが好ましく、例えば、布、紙、金属箔、プラスチック等を例示的に挙げることができる。
粘着部は、テープ本体の両主表面である表面及び裏面のうち裏面に形成されるものであり、具体的には、テープ本体の裏面に粘着糊を付着（塗布、噴霧、浸漬等によって付着される。）して形成されてもよい。この裏面に形成された粘着部を有する帯状のテープ本体は、従来からの粘着テープ（例えば、電気工事用絶縁テープ、工作用のプラスチック（例えばセロファン）製テープ等）と同様のものである。
目印群は、テープ本体の両主表面である表面及び裏面のうち表面に複数形成された目視可能な目印を複数含んでなる。複数の目印は、テープ本体の長手方向に沿って所定間隔毎に目視可能に形成される。
【００１１】
こうすることで本テープの該所定間隔（テープ本体の長手方向に沿って目印が形成される所定間隔）を、上記の縦マーク形成作業に含まれる縦基準線１０９ａ及び縦基準線１０９ｂ各々に沿ってマークを書く間隔Ｄとしておけば、縦基準線１０９ａ及び縦基準線１０９ｂ各々に沿って本テープを貼着すれば、縦基準線１０９ａ及び縦基準線１０９ｂ各々に沿って間隔Ｄにてマーク（本テープの目印が該マークを形成する。）を形成することができ、縦基準線１０９ａ、１０９ｂに沿って本テープを貼着するという簡単な作業により縦マーク形成作業を行うことができるので、本テープを用いることで縦マーク形成作業を容易ならしめることができる。
そして、本テープの該所定間隔（テープ本体の長手方向に沿って目印が形成される所定間隔）を、上記の横マーク形成作業に含まれる最上部桟木１２１ｔ及び最下部桟木１２１ｂ各々に沿ってマークを書く間隔ｄとしておけば、最上部桟木１２１ｔ及び最下部桟木１２１ｂ各々に沿って本テープを貼着すれば、最上部桟木１２１ｔ及び最下部桟木１２１ｂ各々に沿って間隔ｄにてマーク（本テープの目印が該マークを形成する。）を形成することができ、最上部桟木１２１ｔ及び最下部桟木１２１ｂに沿って本テープを貼着するという簡単な作業により横マーク形成作業を行うことができるので、本テープを用いることで横マーク形成作業を容易ならしめることができる。
以上のように、本テープは、瓦葺き工事において瓦同士の所定間隔（間隔Ｄ、間隔ｄ。瓦が葺かれる際に隣接する瓦同士の間隔）を該目印により示し、瓦葺き工事を支援する粘着テープである。
なお、縦マーク形成作業において縦基準線１０９ａに沿って貼着される本テープと縦基準線１０９ｂに沿って貼着される本テープとは、互いに対応する位置関係（例えば、縦基準線１０９ａに沿って貼着される本テープが有する目印と、縦基準線１０９ｂに沿って貼着される本テープが有する目印と、の両目印を互いに対応するもの同士を結んだ線分が縦基準線１０９ａ、１０９ｂに略垂直になるようにする。）にて貼着される。同様に、横マーク形成作業において最上部桟木１２１ｔに沿って貼着される本テープと最下部桟木１２１ｂに沿って貼着される本テープとは、互いに対応する位置関係（例えば、最上部桟木１２１ｔに沿って貼着される本テープが有する目印と、最下部桟木１２１ｂに沿って貼着される本テープが有する目印と、の両目印を互いに対応するもの同士を結んだ線分が最上部桟木１２１ｔの長手方向及び最下部桟木１２１ｂの長手方向に略垂直になるようにする。）にて貼着される。
【００１２】
前記目印群が、異なる前記所定間隔にて互いに視覚的に異ならせて形成された異なる目印群を含むもの（以下、「異種目印含有本テープ」という。）であってもよい。
「前記目印群が、異なる前記所定間隔にて形成された異なる目印群を含む」とは、第１所定間隔にて形成された第１目印群と、第２所定間隔（但し、第２所定間隔は第１所定間隔とは異なる。）にて形成された第２目印群と、を前記目印群が少なくとも含むことである（無論、第３所定間隔にて形成された第３目印群、第４所定間隔にて形成された第４目印群、・・・・をさらに含んでよい。）。
また、互いに視覚的に異ならせて形成された異なる目印群とは、異なる目印群が互いに視覚によって区別できる程度に異なるものであることをいい、上記の例では、第１目印群と第２目印群とが、視覚によって第１目印群か第２目印群かが区別できる程度に異なっていることをいう。そして、目印群を互いに視覚的に異ならせて形成するには、種々の方法が採用されてよく何ら制限されるものではないが、一例を挙げれば、目印の色彩を目印群毎に異ならせるようにすること、目印の大きさを目印群毎に異ならせること、目印の形状を目印群毎に異ならせること、目印の形成位置（テープ本体の長手方向に沿った互いに略平行な一対の長辺のうち一辺に沿って形成される目印群と、該一対の長辺のうち他辺に沿って形成される目印群と、により両目印群を視覚的に異ならせる。）を目印群毎に異ならせること、これらを組み合わせること、等を例示することができる。
こうすることで、１種類の本テープを複数の使用に供することができるので、多くの種類の本テープを準備することなく、多目的に用いることができる。
上述の例をとれば、１の本テープが、所定間隔が間隔Ｄのみの目印群のみを有する場合に、縦マーク形成作業及び横マーク形成作業の両作業を支援し容易ならしめるためには、所定間隔が間隔ｄの目印群を有する他の本テープを用意する必要があり、２種類の本テープを準備及び使用する必要がある（該１の本テープは縦マーク形成作業を容易にし、該他の本テープは横マーク形成作業を容易にする。）。ところが第１所定間隔Ｄにて形成された第１目印群と、第２所定間隔ｄにて形成された第２目印群と、を前記目印群が含めば（両目印群は互いに視覚的に異ならせて形成されている。）、１種類の本テープのみで縦マーク形成作業及び横マーク形成作業の両作業を容易ならしめることができる。
また、上述の例をとれば、１の本テープが、所定間隔が間隔Ｄ１のみの目印群のみを有する場合に、所定間隔が間隔Ｄ２の目印群を要する他の種類の瓦に対応するためには、所定間隔が間隔Ｄ２の目印群を有する他の本テープを用意する必要があり、２種類の本テープを準備及び使用する必要がある。ところが第１所定間隔Ｄ１にて形成された第１目印群と、第２所定間隔Ｄ２にて形成された第２目印群と、を前記目印群が含めば（両目印群は互いに視覚的に異ならせて形成されている。）、１種類の本テープのみで両方の瓦に対応することができる。以上は間隔Ｄ（Ｄ１、Ｄ２）について説明したが、このことは間隔ｄについても同様である。
【００１３】
異種目印含有本テープの場合、１の瓦葺き工事支援用粘着テープが、異なる種類の瓦それぞれの瓦葺き工事を支援可能にするため、前記異なる前記所定間隔が該異なる種類の瓦それぞれについての所定間隔に対応するもの（以下、「異種瓦対応本テープ」という。）であってもよい。
即ち、前述したように、所定間隔が間隔Ｄ１の目印群を要する第１の種類の瓦と、所定間隔が間隔Ｄ２の目印群を要する第２の種類の瓦と、に対応する場合を考えると、１の本テープが、所定間隔が間隔Ｄ１のみの目印群のみを有するときには、所定間隔が間隔Ｄ２の目印群を有する他の本テープを用意する必要があり、２種類の本テープを準備及び使用する必要がある。ところが第１所定間隔Ｄ１にて形成された第１目印群と、第２所定間隔Ｄ２にて形成された第２目印群と、を前記目印群が含めば（両目印群は互いに視覚的に異ならせて形成されている。）、１種類の本テープのみで両方の瓦に対応することができる（以上は間隔Ｄ（Ｄ１、Ｄ２）について説明したが、このことは間隔ｄについても同様である。）。なお、ここでは第１の種類の瓦と第２の種類の瓦との２種類に関し説明したが、３、４、５、・・・・種類に関しても同様である。
このように異なる種類の瓦それぞれに対応する際の目印を１の本テープに形成することで（異なる所定間隔にて互いに視覚的に異ならせて形成された異なる目印群が、異なる所定間隔が異なる種類の瓦それぞれについての所定間隔に対応するようにされること）、１の本テープが、異なる種類の瓦それぞれの瓦葺き工事を支援することができるので便利である。
【００１４】
異種瓦対応本テープの場合、前記異なる種類の瓦が、和瓦のＪＩＳ（日本工業規格）の５３Ａ型及び５３Ｂ型を含むものであってもよい。
和瓦のＪＩＳ（日本工業規格）の５３Ａ型及び５３Ｂ型は、日本国内において現在数多く用いられている和瓦（桟瓦）であり、これら両型は種々の目的や都合等によって適宜使い分けられている。このため瓦葺き工事を行う瓦葺き工事業者は、これら両型（５３Ａ型及び５３Ｂ型）のいずれにも対応する必要があることが多い。
このため異なる種類（５３Ａ型、５３Ｂ型）の瓦それぞれに対応する際の目印群を１の本テープに形成することで（異なる所定間隔にて互いに視覚的に異ならせて形成された異なる目印群が、異なる所定間隔が異なる種類５３Ａ型、５３Ｂ型の瓦それぞれについての所定間隔に対応するようにされること）、１の本テープが、現在多用されている異なる種類５３Ａ型、５３Ｂ型の瓦それぞれの瓦葺き工事を便利に支援することができるので本テープの利用価値を飛躍的に高めることができる。
なお、具体的には、５３Ａ型の瓦に対応する目印同士間の所定間隔は、間隔Ｄ（横基準線１１１同士の間隔）としては２３６．３ｍｍ（７寸８分）であり、間隔ｄ（縦割線１４１同士の間隔）としては２６６．６ｍｍ（８寸８分）である。そして、５３Ｂ型の瓦に対応する目印同士間の所定間隔は、間隔Ｄ（横基準線１１１同士の間隔）としては２２７．３ｍｍ（７寸５分）であり、間隔ｄ（縦割線１４１同士の間隔）としては２７７．２ｍｍ（９寸１分５厘）である。
【００１５】
異種目印含有本テープの場合、１の瓦葺き工事支援用粘着テープが、瓦葺き工事において瓦同士の異なる縦方向間隔と横方向間隔との両間隔を示すことができるよう、前記異なる前記所定間隔が該縦方向間隔と該横方向間隔とに対応するものであってもよい。
上述したように、１の本テープが、所定間隔が間隔Ｄのみの目印群のみを有する場合に、縦マーク形成作業及び横マーク形成作業の両作業を支援するためには、所定間隔が間隔ｄの目印群を有する他の本テープを用意する必要があり、２種類の本テープを準備及び使用する必要がある（該１の本テープは縦マーク形成作業を容易にし、該他の本テープは横マーク形成作業を容易にする。）。しかし、第１所定間隔Ｄ（縦方向間隔）にて形成された第１目印群と、第２所定間隔ｄ（横方向間隔）にて形成された第２目印群と、を前記目印群が含めば（両目印群は互いに視覚的に異ならせて形成されている。）、１種類の本テープのみで縦マーク形成作業及び横マーク形成作業の両作業を支援することができ、本テープの利用価値を飛躍的に高めることができる。
また、異種瓦対応本テープにおいて、縦方向間隔と横方向間隔との両間隔を示すことができるようにしてもよく、例えば、縦方向間隔Ｄ１及び横方向間隔ｄ１の第１の種類の瓦（例えば、ＪＩＳ（日本工業規格）の５３Ａ型）と、縦方向間隔Ｄ２及び横方向間隔ｄ２の第２の種類の瓦（例えば、ＪＩＳ（日本工業規格）の５３Ｂ型）と、に対応するため、所定間隔Ｄ１にて形成された目印群と、所定間隔ｄ１にて形成された目印群と、所定間隔Ｄ２にて形成された目印群と、所定間隔ｄ２にて形成された目印群と、を含むようにしてもよい。
【００１６】
異種目印含有本テープの場合、前記視覚的に異ならせて形成された異なる目印群が、互いに異なる色彩によって形成される部分を含むことで視覚的に異ならされたものであってもよい。
上述したように、目印群を互いに視覚的に異ならせて形成するには、目印の色彩を目印群毎に異ならせるようにすること、目印の大きさを目印群毎に異ならせること、目印の形状を目印群毎に異ならせること、目印の形成位置を目印群毎に異ならせること、これらを組み合わせること、等のように種々の方法が採用されてよく何ら制限されるものではないが、とりわけ互いに異なる色彩によって形成される部分を含むようにすれば効果的に視覚的に異ならすことができ、目印群を間違って認識することを有効に防止できる。
【考案を実施するための最良の形態】
【００１７】
本考案の実施の形態を図面を参照して詳述するが、本考案はこれに限定されるものではない。
【００１８】
図１は、一例の本考案の瓦葺き工事支援用粘着テープ（第１の本テープ）を示す図（第１の本テープ１１の一部を示している。）であり、具体的には、図１（ａ）は第１の本テープ１１の平面図（テープ本体２１の表面２３側から見たところを示している。）であり、図１（ｂ）は図１（ａ）のＡ−Ａ断面図である。図１を参照して、第１の本テープ１１について説明する。
第１の本テープ１１は、大まかには、テープ本体２１と、テープ本体２１の裏面２５に形成された粘着部３１と、テープ本体２１の表面２３に形成された目印４１ａ、４１ｂを含んでなる目印群と、を備えてなる。
【００１９】
テープ本体２１は、樹脂材料により形成され長手方向（図１（ａ）中、矢印Ｌにて示した。直線に沿った方向である。）に沿った帯状の柔軟な部材により構成されており、詳細には、長手方向Ｌに沿った互いに略平行な一対の長辺２１ａ、２１ｂ（縁部）を有する帯状（リボン状）のものであり、目印４１ａ、４１ｂ以外の表面２３は白色である。
粘着部３１は、従来の粘着テープに使用されてきたのと同様の粘着糊を、テープ本体２１の裏面２５に付着（塗布、噴霧、浸漬等によって付着される。）することで形成された粘着層によって構成されている。
【００２０】
目印群は、複数の目印４１ａを含んでなる目印群Ａと、複数の目印４１ｂを含んでなる目印群Ｂと、を含んでいる。
複数の目印４１ａは、長手方向Ｌに沿って所定間隔Ｄａ毎にテープ本体２１の表面２３に複数形成された目視可能な目印である。個々の目印４１ａは、長手方向Ｌに対して略垂直な黒色の線（印刷）によって形成されている。
複数の目印４１ｂは、長手方向Ｌに沿って所定間隔Ｄｂ毎にテープ本体２１の表面２３に複数形成された目視可能な目印である。個々の目印４１ｂは、長手方向Ｌに対して略垂直な青色の線（印刷）によって形成されている。
ここではＤａ＝２３６．３ｍｍ（７寸８分）であり、Ｄｂ＝２２７．３ｍｍ（７寸５分）である。なお、ここでは図示や理解を容易にするため、テープ本体２１の幅Ｗと所定間隔Ｄａ、Ｄｂとの比率（Ｄａ／ＷやＤｂ／Ｗ）は実際とは異なる。
また、この第１の本テープ１１の製造方法は、種々の方法で製造されてよく何ら制限されるものではないが、一例を挙げれば、目印４１ａ、４１ｂをテープ本体２１の表面２３に印刷した後、テープ本体２１の裏面２５に粘着糊を付着させ粘着部３１を形成するようにしてもよい。また、この第１の本テープ１１は、保管、使用及び輸送を便ならしめるため、通常の粘着テープと同様に巻回した状態で製造等されてもよい。
【００２１】
図２は、他の例の本考案の瓦葺き工事支援用粘着テープ（第２の本テープ）を示す図（第２の本テープ５１の一部を示している。）であり、具体的には、図２（ａ）は第２の本テープ５１の平面図（テープ本体６１の表面６３側から見たところを示している。）であり、図２（ｂ）は図２（ａ）のＡ−Ａ断面図である。図２を参照して、第２の本テープ５１について説明する。
第２の本テープ５１は、大まかには、テープ本体６１と、テープ本体６１の裏面６５に形成された粘着部７１と、テープ本体６１の表面６３に形成された目印８１ａ、８１ｂを含んでなる目印群と、を備えてなる。
【００２２】
テープ本体６１は、テープ本体２１と同様、樹脂材料により形成され長手方向（図２（ａ）中、矢印Ｌにて示した。直線に沿った方向である。）に沿った帯状の柔軟な部材により構成されており、詳細には、長手方向Ｌに沿った互いに略平行な一対の長辺６１ａ、６１ｂ（縁部）を有する帯状（リボン状）のものであり、目印８１ａ、８１ｂ以外の表面６３は白色である。
粘着部７１は、粘着部３１と同様、従来の粘着テープに使用されてきたのと同様の粘着糊を、テープ本体６１の裏面６５に付着（塗布、噴霧、浸漬等によって付着される。）することで形成された粘着層によって構成されている。
【００２３】
目印群は、複数の目印８１ａを含んでなる目印群Ａと、複数の目印８１ｂを含んでなる目印群Ｂと、を含んでいる。
複数の目印８１ａは、長手方向Ｌに沿って所定間隔ｄａ毎にテープ本体６１の表面６３に複数形成された目視可能な目印である。個々の目印８１ａは、長手方向Ｌに対して略垂直な黒色の線（印刷）によって形成されている。
複数の目印８１ｂは、長手方向Ｌに沿って所定間隔ｄｂ毎にテープ本体６１の表面６３に複数形成された目視可能な目印である。個々の目印８１ｂは、長手方向Ｌに対して略垂直な青色の線（印刷）によって形成されている。
ここではｄａ＝２６６．６ｍｍ（８寸８分）であり、ｄｂ＝２７７．２ｍｍ（９寸１分５厘）である。なお、ここでは図示や理解を容易にするため、テープ本体６１の幅Ｗと所定間隔ｄａ、ｄｂとの比率（ｄａ／Ｗやｄｂ／Ｗ）は実際とは異なる。
また、この第２の本テープ５１の製造方法は、第１の本テープ１１と同様、種々の方法で製造されてよく何ら制限されるものではないが、一例を挙げれば、目印８１ａ、８１ｂをテープ本体６１の表面６３に印刷した後、テープ本体６１の裏面６５に粘着糊を付着させ粘着部７１を形成するようにしてもよい。また、この第２の本テープ５１は、第１の本テープ１１と同様、保管、使用及び輸送を便ならしめるため、通常の粘着テープと同様に巻回した状態で製造等されてもよい。
【００２４】
次いで、これら第１の本テープ１１及び第２の本テープ５１の使用方法について説明する。
ここでは和瓦のＪＩＳ（日本工業規格）の５３Ａ型を葺く場合を例にとって説明する。
第１の本テープ１１は、瓦葺き工事の第２工程（図６参照）に含まれる縦基準線１０９ａ及び縦基準線１０９ｂ各々に沿って等間隔にマークを形成する作業（縦マーク形成作業）を支援し容易ならしめるために用いられる。図３は、第１の本テープ１１を用いた瓦葺き工事の第２工程を示す図である（図３においては、上述したように縦基準線１０９ａ、１０９ｂを描く第１工程は完了している。）。図３を参照して、第１の本テープ１１を用いた瓦葺き工事の第２工程について説明する。縦基準線１０９ａ及び縦基準線１０９ｂ各々に沿って（第１の本テープ１１の長手方向Ｌが縦基準線１０９ａ、１０９ｂに略平行になるように）、粘着部３１によって第１の本テープ１１が屋根１０３に貼着されている。なお、ここでは図示や理解を容易にするため、複数の目印４１ａを含んでなる目印群Ａのみを図示し、複数の目印４１ｂを含んでなる目印群Ｂは図示を省略している。また、縦基準線１０９ａに沿って貼着される第１の本テープ１１と縦基準線１０９ｂに沿って貼着される第１の本テープ１１とは、互いに対応する位置関係（縦基準線１０９ａに沿って貼着される第１の本テープ１１が有する目印４１ａと、縦基準線１０９ｂに沿って貼着される第１の本テープ１１が有する目印４１ａと、の両目印を互いに対応するもの同士を結んだ線分が縦基準線１０９ａ、１０９ｂに略垂直になるようにする。）にて貼着される。そして、縦基準線１０９ａに沿って貼着される第１の本テープ１１が有する目印４１ａと、縦基準線１０９ｂに沿って貼着される第１の本テープ１１が有する目印４１ａと、を互いに対応する目印同士を結ぶよう屋根１０３に直線（線分）を描き横基準線１１１を形成する。なお、横基準線１１１のいずれも、縦基準線１０９ａ、１０９ｂ両方に対して略垂直であり、そして横基準線１１１同士の間隔（図３中、間隔Ｄ）は、目印４１ａの長手方向Ｌに沿った所定間隔Ｄａ（＝２３６．３ｍｍ（７寸８分））となり、和瓦のＪＩＳ（日本工業規格）の５３Ａ型に適した横基準線１１１同士の間隔（図３中、間隔Ｄ）となる。ここでは和瓦のＪＩＳ（日本工業規格）の５３Ａ型を葺く場合を例にとったが、和瓦のＪＩＳ（日本工業規格）の５３Ｂ型を葺く場合には、複数の目印４１ｂを含んでなる目印群Ｂに基づき横基準線１１１を描くようにすればよい。以上のようにして、メジャー（巻き尺等）とペン等とを用いて一つ一つのマークに関し形成位置を確認し形成（書く）する従来の第２工程に比し、縦基準線１０９ａ、１０９ｂに沿って第１の本テープ１１を貼着することで、容易に横基準線１１１各々の位置を知り描くことができる。
【００２５】
図３のように横基準線１１１を描く第２工程の後、瓦葺き工事の第３工程（図７参照）として横基準線１１１各々に沿って桟木１２１を釘等によって屋根１０３に取り付ける（従来の第３工程と同様）。
そして、瓦葺き工事の第４工程（図８参照）として、軒の下縁１０５を略二等分しかつ軒の下縁１０５に対して略垂直な線である中央基準線１３１を描く（従来の第４工程と同様）。
【００２６】
第２の本テープ５１は、瓦葺き工事の第５工程（図９参照）に含まれる最上部桟木１２１ｔに等間隔にマークを形成すると共に最下部桟木１２１ｂに等間隔にマークを形成する作業（横マーク形成作業）を支援し容易ならしめるために用いられる。図４は、第２の本テープ５１を用いた瓦葺き工事の第５工程を示す図である（上述した第４工程迄は完了している。）。図４を参照して、第２の本テープ５１を用いた瓦葺き工事の第５工程について説明する。最上部桟木１２１ｔ及び最下部桟木１２１ｂ各々に沿って（第２の本テープ５１の長手方向Ｌが、最上部桟木１２１ｔ及び最下部桟木１２１ｂの長手方向に略平行になるように）、粘着部７１によって第２の本テープ５１が屋根１０３に貼着されている。なお、ここでは図示や理解を容易にするため、複数の目印８１ａを含んでなる目印群Ａのみを図示し、複数の目印８１ｂを含んでなる目印群Ｂは図示を省略している。最上部桟木１２１ｔに沿って貼着される第２の本テープ５１と最下部桟木１２１ｂに沿って貼着される第２の本テープ５１とは、互いに対応する位置関係（最上部桟木１２１ｔに沿って貼着される第２の本テープ５１の目印８１ａと、最下部桟木１２１ｂに沿って貼着される第２の本テープ５１の目印８１ａと、の両目印を互いに対応するもの同士を結んだ線分が中央基準線１３１に対して略平行になる。）にて貼着される。例えば、最上部桟木１２１ｔを通過する中央基準線１３１に第２の本テープ５１の目印８１ａを合わせるようにして両方向へ第２の本テープ５１を貼着すると共に、最下部桟木１２１ｂを通過する中央基準線１３１に第２の本テープ５１の目印８１ａを合わせるようにして両方向へ第２の本テープ５１を貼着する。そして、最上部桟木１２１ｔに沿って貼着される第２の本テープ５１の目印８１ａと、最下部桟木１２１ｂに沿って貼着される第２の本テープ５１の目印８１ａと、を互いに対応する目印同士を結ぶよう屋根１０３に直線（線分）を描き縦割線１４１を形成する。なお、縦割線１４１のいずれも中央基準線１３１に対して略平行であり、そして縦割線１４１同士の間隔（図４中、間隔ｄ）は、目印８１ａの長手方向Ｌに沿った所定間隔ｄａ（＝２６６．６ｍｍ（８寸８分））となり、和瓦のＪＩＳ（日本工業規格）の５３Ａ型に適した縦割線１４１同士の間隔（図４中、間隔ｄ）となる。ここでは和瓦のＪＩＳ（日本工業規格）の５３Ａ型を葺く場合を例にとったが、和瓦のＪＩＳ（日本工業規格）の５３Ｂ型を葺く場合には、複数の目印８１ｂを含んでなる目印群Ｂに基づき縦割線１４１を描くようにすればよい。以上のようにして、メジャー（巻き尺等）とペン等とを用いて一つ一つのマークに関し形成位置を確認し形成（書く）する従来の第５工程に比し、最上部桟木１２１ｔ及び最下部桟木１２１ｂに沿って第２の本テープ５１を貼着することで、容易に縦割線１４１各々の位置を知り描くことができる。
その後、第６工程として、横方向を縦割線１４１に合わせ、桟木１２１同士の間に個々の瓦（不図示）を配設し取り付けることで、家屋１０１の屋根１０３に瓦を葺く瓦葺き工事が完了する（従来の第６工程と同様）。
【００２７】
また、ここでは第１の本テープ１１が、長手方向Ｌに沿って所定間隔Ｄａ毎に形成された複数の目印４１ａと、長手方向Ｌに沿って所定間隔Ｄｂ毎に形成された複数の目印４１ｂと、を有し（第１の本テープ１１が、異なる種類の瓦（和瓦のＪＩＳ（日本工業規格）の５３Ａ型と５３Ｂ型）それぞれの瓦葺き工事を支援可能にするため、前記異なる前記所定間隔Ｄａ、Ｄｂが該異なる種類（５３Ａ型、５３Ｂ型）の瓦それぞれについての所定間隔に対応している。即ち、異種の瓦（５３Ａ、５３Ｂ）それぞれに関する同方向間隔（ここでは縦方向間隔Ｄ）毎に形成された異なる目印４１ａ、４１ｂを有している。）、そして第２の本テープ５１が、長手方向Ｌに沿って所定間隔ｄａ毎に形成された複数の目印８１ａと、長手方向Ｌに沿って所定間隔ｄｂ毎に形成された複数の目印８１ｂと、を有しているが（第２の本テープ５１が、異なる種類の瓦（和瓦のＪＩＳ（日本工業規格）の５３Ａ型と５３Ｂ型）それぞれの瓦葺き工事を支援可能にするため、前記異なる前記所定間隔ｄａ、ｄｂが該異なる種類（５３Ａ型、５３Ｂ型）の瓦それぞれについての所定間隔に対応している。即ち、異種の瓦（５３Ａ、５３Ｂ）それぞれに関する同方向間隔（ここでは横方向間隔ｄ）毎に形成された異なる目印８１ａ、８１ｂを有している。）、これに限定されるものではなく、例えば、長手方向Ｌに沿って所定間隔Ｄａ毎に形成された複数の目印４１ａと、長手方向Ｌに沿って所定間隔ｄａ毎に形成された複数の目印８１ａと、を有する第３の本テープ（和瓦のＪＩＳ（日本工業規格）の５３Ａ型に関する瓦葺き工事では、縦マーク形成作業と横マーク形成作業との両作業を支援可能である。即ち、同種の瓦（５３Ａ）に関する異方向間隔（縦方向間隔Ｄと横方向間隔ｄ）毎に形成された異なる目印４１ａ、８１ａを有している。）とされてもよく（第３の本テープが、瓦葺き工事において瓦同士の異なる縦方向間隔Ｄａと横方向間隔ｄａとの両間隔を示すことができるよう、前記異なる前記所定間隔Ｄａ、ｄａが該縦方向間隔Ｄａと該横方向間隔ｄａとに対応する。）、同様に、長手方向Ｌに沿って所定間隔Ｄｂ毎に形成された複数の目印４１ｂと、長手方向Ｌに沿って所定間隔ｄｂ毎に形成された複数の目印８１ｂと、を有する第４の本テープ（和瓦のＪＩＳ（日本工業規格）の５３Ｂ型に関する瓦葺き工事では、縦マーク形成作業と横マーク形成作業との両作業を支援可能である。即ち、同種の瓦（５３Ｂ）に関する異方向間隔（縦方向間隔Ｄと横方向間隔ｄ）毎に形成された異なる目印４１ｂ、８１ｂを有している。）とされてもよい（第４の本テープが、瓦葺き工事において瓦同士の異なる縦方向間隔Ｄｂと横方向間隔ｄｂとの両間隔を示すことができるよう、前記異なる前記所定間隔Ｄｂ、ｄｂが該縦方向間隔Ｄｂと該横方向間隔ｄｂとに対応する。）。さらに、長手方向Ｌに沿って所定間隔Ｄａ毎に形成された複数の目印４１ａと、長手方向Ｌに沿って所定間隔ｄａ毎に形成された複数の目印８１ａと、長手方向Ｌに沿って所定間隔Ｄｂ毎に形成された複数の目印４１ｂと、長手方向Ｌに沿って所定間隔ｄｂ毎に形成された複数の目印８１ｂと、を有する第５の本テープ（和瓦のＪＩＳ（日本工業規格）の５３Ａ型及び５３Ｂ型のいずれの瓦葺き工事においても、縦マーク形成作業と横マーク形成作業との両作業を支援可能である。）とされてもよい。
【００２８】
以上説明したように、第１の本テープ１１は、瓦葺き工事において瓦同士の所定間隔Ｄａ、Ｄｂを示し瓦葺き工事を支援するための粘着テープであって、長手方向Ｌに沿った帯状のテープ本体２１と、テープ本体２１の裏面２５に形成された粘着部３１と、該長手方向Ｌに沿って所定間隔Ｄａ、Ｄｂ毎にテープ本体２１の表面２３に複数形成された目視可能な目印４１ａ、４１ｂを含んでなる目印群Ａ、Ｂと、を備えてなる、瓦葺き工事支援用粘着テープである。
そして、前記目印群Ａ、Ｂが、異なる前記所定間隔Ｄａ、Ｄｂにて互いに視覚的に異ならせて形成された異なる目印群Ａ（黒色）及び目印群Ｂ（青色）を含むものである。
１の瓦葺き工事支援用粘着テープたる第１の本テープ１１が、異なる種類の瓦（ここでは和瓦のＪＩＳ（日本工業規格）の５３Ａ型と５３Ｂ型）それぞれの瓦葺き工事を支援可能にするため、前記異なる前記所定間隔Ｄａ、Ｄｂが該異なる種類の瓦（ＪＩＳ（日本工業規格）の５３Ａ型と５３Ｂ型）それぞれについての所定間隔に対応するものである（Ｄａが５３Ａ型に対応し、Ｄｂが５３Ｂ型に対応する。）。また前記異なる種類の瓦が、和瓦のＪＩＳ（日本工業規格）の５３Ａ型及び５３Ｂ型を含むものである。
また、前記視覚的に異ならせて形成された異なる目印群Ａ、Ｂが、互いに異なる色彩（黒色と青色）によって形成される部分を含む（ここでは目印群Ａの全部が黒色で、目印群Ｂの全部が青色である。）ことで視覚的に異ならされたものである。
【００２９】
第２の本テープ５１は、瓦葺き工事において瓦同士の所定間隔ｄａ、ｄｂを示し瓦葺き工事を支援するための粘着テープであって、長手方向Ｌに沿った帯状のテープ本体６１と、テープ本体６１の裏面６５に形成された粘着部７１と、該長手方向Ｌに沿って所定間隔ｄａ、ｄｂ毎にテープ本体６１の表面６３に複数形成された目視可能な目印８１ａ、８１ｂを含んでなる目印群Ａ、Ｂと、を備えてなる、瓦葺き工事支援用粘着テープである。
そして、前記目印群Ａ、Ｂが、異なる前記所定間隔ｄａ、ｄｂにて互いに視覚的に異ならせて形成された異なる目印群Ａ（黒色）及び目印群Ｂ（青色）を含むものである。
１の瓦葺き工事支援用粘着テープたる第２の本テープ５１が、異なる種類の瓦（ここでは和瓦のＪＩＳ（日本工業規格）の５３Ａ型と５３Ｂ型）それぞれの瓦葺き工事を支援可能にするため、前記異なる前記所定間隔ｄａ、ｄｂが該異なる種類の瓦（ＪＩＳ（日本工業規格）の５３Ａ型と５３Ｂ型）それぞれについての所定間隔に対応するものである（ｄａが５３Ａ型に対応し、ｄｂが５３Ｂ型に対応する。）。また前記異なる種類の瓦が、和瓦のＪＩＳ（日本工業規格）の５３Ａ型及び５３Ｂ型を含むものである。
また、前記視覚的に異ならせて形成された異なる目印群Ａ、Ｂが、互いに異なる色彩（黒色と青色）によって形成される部分を含む（ここでは目印群Ａの全部が黒色で、目印群Ｂの全部が青色である。）ことで視覚的に異ならされたものである。
なお、上記した長手方向Ｌに沿って所定間隔Ｄａ毎に形成された複数の目印４１ａと、長手方向Ｌに沿って所定間隔ｄａ毎に形成された複数の目印８１ａと、を有する第３の本テープや、長手方向Ｌに沿って所定間隔Ｄｂ毎に形成された複数の目印４１ｂと、長手方向Ｌに沿って所定間隔ｄｂ毎に形成された複数の目印８１ｂと、を有する第４の本テープや、長手方向Ｌに沿って所定間隔Ｄａ毎に形成された複数の目印４１ａと、長手方向Ｌに沿って所定間隔ｄａ毎に形成された複数の目印８１ａと、長手方向Ｌに沿って所定間隔Ｄｂ毎に形成された複数の目印４１ｂと、長手方向Ｌに沿って所定間隔ｄｂ毎に形成された複数の目印８１ｂと、を有する第５の本テープのように、１の瓦葺き工事支援用粘着テープが、瓦葺き工事において瓦同士の異なる縦方向間隔Ｄと横方向間隔ｄとの両間隔を示すことができるよう、前記異なる前記所定間隔が該縦方向間隔Ｄと該横方向間隔ｄとに対応するものであってもよい。
【図面の簡単な説明】
【００３０】
【図１】第１の本テープを示す図である。
【図２】第２の本テープを示す図である。
【図３】第１の本テープを用いた瓦葺き工事の第２工程を示す図である。
【図４】第２の本テープを用いた瓦葺き工事の第５工程を示す図である。
【図５】従来の瓦葺き工事の第１工程を示す概略斜視図である。
【図６】従来の瓦葺き工事の第２工程を示す概略斜視図である。
【図７】従来の瓦葺き工事の第３工程を示す概略斜視図である。
【図８】従来の瓦葺き工事の第４工程を示す概略斜視図である。
【図９】従来の瓦葺き工事の第５工程を示す概略斜視図である。
【符号の説明】
【００３１】
１１              第１の本テープ
２１              テープ本体
２１ａ、２１ｂ    長辺
２３              表面
２５              裏面
３１              粘着部
４１ａ、４１ｂ    目印
５１              第２の本テープ
６１              テープ本体
６１ａ、６１ｂ    長辺
６３              表面
６５              裏面
７１              粘着部
８１ａ、８１ｂ    目印
１０１              家屋
１０３              屋根
１０５              下縁
１０７ａ、１０７ｂ  側縁
１０８              上縁
１０９ａ、１０９ｂ  縦基準線
１１１              横基準線
１２１              桟木
１２１ｂ            最下部桟木
１２１ｔ            最上部桟木
１３１              中央基準線
１４１              縦割線
２０１              地面
【図１】
0003133697.tif 000003
【図２】
0003133697.tif 000004
【図３】
0003133697.tif 000005
【図４】
0003133697.tif 000006
【図５】
0003133697.tif 000007
【図６】
0003133697.tif 000008
【図７】
0003133697.tif 000009
【図８】
0003133697.tif 000010
【図９】
0003133697.tif 000011